(57)【特許請求の範囲】
【請求項１】
先端寄りに被係止部を有した一対のアームを有する雄部材と、
前記一対のアームが挿入される挿入口を一方の筒端に有するとともに、前記被係止部との係合によって前記一対のアームを筒内に係止する係止部を他方の筒端寄りに有する扁平筒状の雌部材とを備えるバックルにおいて、
前記雌部材は、扁平方向に広がる互いに対向した第一の筒側壁と第二の筒側壁とを有するとともに、前記他方の筒端には、前記挿入口に対向した開放口を有し、
前記第一の筒側壁は、前記係止部と前記被係止部とが係合する状態にて、該第一の筒側壁の外表面に対向した平面視において該第一の筒側壁によって構成される前記開放口の縁から前記一対のアームが露出しない形状に形成され、
前記第二の筒側壁は、前記係止部と前記被係止部とが係合する状態にて、該第二の筒側壁の外表面に対向した平面視において該第二の筒側壁によって構成される前記開放口から前記一対のアームの少なくとも一方が露出する形状に形成され、
前記開放口は、
前記第二の筒側壁の外表面に対向した平面視において前記第一の筒側壁の縁よりも前記第二の筒側壁の縁が前記挿入口側に窪んだ形状に形成され、
前記第一の筒側壁は、前記開放口の縁を構成する第一の開口縁を有し、
前記第二の筒側壁は、前記開放口の縁を構成して該第二の筒側壁に対向した平面視において前記第一の開口縁よりも前記挿入口側に窪んだ形状を有する前記係止部である第二の開口縁を有し、
前記係止部と前記被係止部とが係合する状態にて、前記第二の筒側壁に対向した平面視において前記第二の開口縁から前記被係止部が露出する形状に形成される
ことを特徴とするバックル。
【請求項２】
前記被係止部は、
前記一対のアームにおいて前記第二の筒側壁側に突出する第二の被係止凸部であって、前記第二の筒側壁の厚さ方向における幅が前記第二の筒側壁よりも小さい
請求項１に記載のバックル。
【請求項３】
前記雄部材は、
前記一対のアームにおいて前記第一の筒側壁側に突出する第一の被係止凸部をさらに有して前記一対のアームが含まれる面に対して面対称となる形状に形成され、
前記雌部材は、
前記挿入口から前記開放口まで延びる形状に形成されて前記挿入口と前記開放口との間で前記被係止部を案内する案内溝を有する
請求項２に記載のバックル。
【発明の詳細な説明】
【技術分野】
【０００１】
本発明は、雌部材に雄部材が着脱自在に連結するバックルに関する。
【背景技術】
【０００２】
従来から、例えば特許文献１及び特許文献２に記載のように、雄部材と雌部材とから構成されているバックルが知られている。
特許文献１に記載の雄部材には、先端に被係止部を有した互いに面対称な形状である一対のアームが、基部から延びるように形成されている。また雌部材には、一対のアームが挿入される挿入口を有した扁平筒状の収容部が、上記一対のアームが内部に収容されるように形成されている。また雌部材の収容部における内側面には、雄部材の被係止部を係止する透孔が形成されている。そして雄部材と雌部材とが連結した状態では、挿入口に対向した壁面にアームの先端が当たらず、アームの先端が収容部内に収容されるようになっている。
【０００３】
一方、特許文献２に記載の雌部材には、アームが挿入される挿入口を有した扁平筒状の収容部が、該挿入口に対向する開口の外縁にアームの被係止部を係合する係止部が形成されている。そして雄部材の被係止部と雌部材の係止部とが係合した状態では、挿入口に対向する開口からアームの先端が露出されるようになっている。
【先行技術文献】
【特許文献】
【０００４】
【特許文献１】実開平７−２４１０５号公報
【特許文献２】特開２００６−２０４９１１号公報
【発明の概要】
【発明が解決しようとする課題】
【０００５】
ところで、特許文献１に記載のバックルにあっては上述のように、雄部材と雌部材とが係合した状態で、アームの先端が収容部に収容されるようになっている。このため、挿入孔や透孔から収容部の内部に異物が入り込んだ場合には、このような異物が収容部の内部に堆積してしまうおそれがある。ひいては、雌部材における収容部の内部に異物が残留する結果、雄部材の挿入に対してその異物が障害物になり、雄部材を雌部材に連結させることができなくなるおそれがある。
【０００６】
これに対して、特許文献２に記載のバックルでは、雄部材と雌部材とが連結した状態で、アームの先端寄りに形成された被係止部の全てが挿入口に対向する開口から露出するようになっている。そのため、収容部の内部に異物が入り込んだとしても、収容部に入り込んだ異物はアームの先端によって収容部の開口から押し出されやすくなる。
【０００７】
しかしながら、特許文献２に記載のバックルでは、収容部の内部に入り込んだ異物を収容部から押し出すことができるものの、アームの先端寄りに形成された被係止部の全てが収容部の外側で係止される構造であるため、雄部材と雌部材との連結が予期せぬ原因によって解除されてしまうおそれがある。
【０００８】
本発明は、こうした実情に鑑みてなされたものであり、予期せぬ原因によって雄部材と雌部材との連結が解除されることを抑えつつ雌部材の内部に入り込んだ異物の堆積を抑えることが可能なバックルを提供することを目的とする。
【課題を解決するための手段】
【０００９】
こうした目的を達成するため、請求項１に記載の発明は、先端寄りに被係止部を有した一対のアームを有する雄部材と、前記一対のアームが挿入される挿入口を一方の筒端に有するとともに、前記被係止部との係合によって前記一対のアームを筒内に係止する係止部を他方の筒端寄りに有する扁平筒状の雌部材とを備えるバックルにおいて、前記雌部材は、扁平方向に広がる互いに対向した第一の筒側壁と第二の筒側壁とを有するとともに、前記他方の筒端には、前記挿入口に対向した開放口を有し、前記第一の筒側壁は、前記係止部と前記被係止部とが係合する状態にて、該第一の筒側壁の外表面に対向した平面視において該第一の筒側壁によって構成される前記開放口の縁から前記一対のアームが露出しない形状に形成され、前記第二の筒側壁は、前記係止部と前記被係止部とが係合する状態にて、該第二の筒側壁の外表面に対向した平面視において該第二の筒側壁によって構成される前記開放口の縁から前記一対のアームの少なくとも一方が露出する形状に形成され、前記開放口は、前記第二の筒側壁の外表面に対向した平面視において前記第一の筒側壁の縁よりも前記第二の筒側壁の縁が前記挿入口側に窪んだ形状に形成され、前記第一の筒側壁は、前記開放口の縁を構成する第一の開口縁を有し、前記第二の筒側壁は、前記開放口の縁を構成して該第二の筒側壁に対向した平面視において前記第一の開口縁よりも前記挿入口側に窪んだ形状を有する前記係止部である第二の開口縁を有し、前記係止部と前記被係止部とが係合する状態にて、前記第二の筒側壁に対向した平面視において前記第二の開口縁から前記被係止部が露出する形状に形成されることを要旨とする。
【００１０】
請求項１に記載の発明によれば、扁平筒状の雌部材が挿入口と対向した開放口を有する。そして、雌部材を構成する第一筒側壁が、該筒側壁に対向した平面視において開放口の縁からアームが露出しない形状を有する一方、同雌部材を構成する第二の筒側壁が、該筒側壁に対向した平面視において開放口の縁からアームが露出する形状を有する。それゆえに、開放口からアームが露出する形状を第二の筒側壁が有する分、雌部材の筒内に入り込んだ異物が開放口から容易に排出されることとなる。加えて、開放口からアームが露出しない形状を第一の筒側壁が有する分、第一の筒側壁側にあっては、一対のアームの先端寄りが外部から遮蔽されるため、雄部材と雌部材との連結が外部からの干渉を受け難くすることが可能でもある。そのため、予期せぬ原因によって雄部材と雌部材との連結が解除されることを抑えつつ、雌部材の内部に入り込んだ異物の堆積を抑えることが可能である。
【００１２】
また、雌部材の筒内に入り込んだ異物が開放口から排出される過程では、雌部材の筒内に入り込んだ異物が挿入口から挿入されたアームによって押し出されることが少なくない。この点、本発明によれば、開放口を構成する縁のうち第二の筒側壁で構成される縁が挿入口側に窪んだ形状となるように開放口が形成されている。このような構成であれば、第二の筒側壁の縁が窪んだ形状を有する分、第二の筒側壁で構成される縁が挿入口に近くなる。その結果、雌部材の筒内に入り込んだ異物が挿入口側から挿入されたアームによって押し出されやすくなるため、雌部材の内部に入り込んだ異物の堆積をさらに抑えることが可能である。
【００１４】
また、開放口を構成する縁のうち第二の筒側壁の縁が挿入口側に窪んだ第二の開口縁を有し、且つ該第二の開口縁が係止部として機能することとなる。それゆえに、係止部が別途形成される構成と比較して、雌部材の構成をより簡便なものとすることが可能である。
【００１５】
請求項２に記載の発明は、請求項１に記載の発明において、前記被係止部は、前記一対のアームにおいて前記第二の筒側壁側に突出する第二の被係止凸部であって、前記第二の筒側壁の厚さ方向における幅が前記第二の筒側壁よりも小さいことを要旨とする。
【００１６】
請求項２に記載の発明によれば、第二の筒側壁の厚さ方向において、第二の被係止凸部が第二の筒側壁よりも薄い。それゆえに係止部と被係止部とが係合する状態では、アームに形成された被係止部が第二の筒側壁の外表面から突出しなくなる。このような構成であれば、アームに形成された被係止部と第二の筒側壁の縁との係合が外部からの干渉をさらに受け難くなる。その結果、予期せぬ原因によって雄部材と雌部材との連結が解除されることをさらに抑えることが可能である。
【００１７】
請求項３に記載の発明は、請求項２に記載の発明において、前記雄部材は、前記一対のアームにおいて前記第一の筒側壁側に突出する第一の被係止凸部をさらに有して前記一対のアームが含まれる面に対して面対称となる形状に形成され、前記雌部材は、前記挿入口から前記開放口まで延びる形状に形成されて前記挿入口と前記開放口との間で前記被係止部を案内する案内溝を有することを要旨とする。
【００１８】
請求項３に記載の発明によれば、一対のアームを含む面に対して面対称となるように雄
部材が形成されるとともに、雌部材には、この雄部材が有する被係止部を挿入口と開放口との間で案内する案内溝が形成されている。このような構成によれば、雄部材における一つの側面が第一の筒側壁側に配置されて雄部材と雌部材とが係合する場合であれ、雄部材における当該一つの側面が第二の筒側壁側に配置されて雄部材と雌部材とが係合する場合であれ、上述した効果を得ることが可能である。それゆえに、雄部材と雌部材との連結の態様を拡張しつつ、雌部材の内部に入り込んだ異物の堆積を抑えること、及び予期せぬ原因によって雄部材と雌部材との連結が解除されることを抑えること、それらが可能である。
【図面の簡単な説明】
【００１９】
【図１】本発明に係るバックルの一実施の形態について、その表側から見たバックルの斜視構造を示す斜視図。
【図２】同実施の形態に係るバックルの裏側から見た斜視構造を示す斜視図。
【図３】同実施の形態に係る雄部材の表側から見た斜視構造を示す斜視図。
【図４】同実施の形態に係る雄部材の裏側から見た斜視構造を示す斜視図。
【図５】同実施の形態に係る雌部材の表側から見た斜視構造を示す斜視図。
【図６】同実施の形態に係る雌部材の裏側から見た斜視構造を示す斜視図。
【図７】（ａ）は同実施の形態に係るバックルの表側から見た平面視構造を示す平面図、（ｂ）は同実施の形態に係るバックルの裏側から見た平面視構造を示す平面図。
【発明を実施するための形態】
【００２０】
以下、本発明に係るバックルの一実施の形態について図を参照して説明する。まず、バックル１の全体構造について図１及び図２を参照して説明する。バックル１の雄部材２における基部２１には、可撓性を有した一対のアーム２２が該基部２１から延びるように形成されている。またバックル１の雌部材３は、扁平した筒状に形成され、扁平方向に広がる互いに対向した第一の筒側壁としての表壁３１と第二の筒側壁としての裏壁３２とを有している。この雌部材３における一方の筒端（図１及び図２における右側の筒端）には、一対のアーム２２が挿入される挿入口３Ｐが形成され、また他方の筒端には、挿入口３Ｐに対向した開放口３Ｄが形成されている。以下、挿入口３Ｐから開放口３Ｄに向けた方向を挿入方向とし、一対のアーム２２が並ぶ方向を左右方向する。またバックル１における表壁３１側を表側とし、バックル１における裏壁３２側を裏側とする。
【００２１】
図３及び図４に示されるように、雄部材２が有する左右一対のアーム２２の各々は、該一対のアーム２２が含まれる平面と対向する平面視において、先端寄りが膨大するように形成されている。また右側のアーム２２における右側外側面、及び左側のアーム２２における左側外側面は、同じく一対のアーム２２が含まれる平面と対向する平面視において、その挿入方向における中間部分であるアーム係止部２２Ｓが左右方向の外側に張り出すように湾曲した形状に形成されている。
【００２２】
上述のような外形を有する一対のアーム２２の先端寄りには、それぞれ被係止部２３が形成されている。被係止部２３は、アーム２２の表面に突設された第一の被係止凸部として一対の表側凸部２３Ｆと、アーム２２の裏面に突設された第二の被係止凸部としての裏側凸部２３Ｂとによって構成されている。また一対のアーム２２の先端寄りには、断面が菱形状を成してアーム２２が延びる方向（上記挿入方向）に延びるアーム孔２４が該アーム２２の表側から裏側までを貫通するように形成されている。そして一対のアーム２２が含まれる平面に対して面対称となるように、すなわち表側から見た一対のアーム２２の構造と裏側から見た一対のアーム２２の構造とが同一となるように、雄部材２は形成されている。なお、上述したようなアーム孔２４が一対のアーム２２の各々に設けられているため、アーム２２の強度が確保されつつ、雄部材２が例えば樹脂成型によって形成される際には、ひけが発生してしまうことを回避することが可能である。
【００２３】
ちなみに、アーム２２の基端寄りにおける表面及び裏面には、それぞれ基端位置決めリブ２７が配設され、またアーム２２の先端寄りにおける表面及び裏面には、それぞれ先端位置決めリブ２８が配設されている。このような位置決めリブが形成された構成では、雌部材３に雄部材２が連結される際に、一対のアーム２２の外表面と雌部材３の内表面との距離が、基端位置決めリブ２７及び先端位置決めリブ２８が形成された部位、すなわち一対のアーム２２における基端と先端とにおいて特に短くなる。そのため、雌部材３に雄部材２が連結された状態では、バックル１の厚み方向において、雌部材３に対する雄部材２の位置ずれ（がたつき）を抑えることが可能である。
【００２４】
一対のアーム２２において互いに対向する内側面には、一対のアーム２２を互いに繋ぐ可撓性を有した帯状のブリッジ２５が、アーム２２の先端寄りであって、且つ被係止部２３よりも基端寄りに形成されている。このブリッジ２５における両端部２５ａの各々は、一方のアーム２２から他方のアーム２２に向けて延びるように形成されている。詳述すると、一方のアーム２２に接続されるブリッジ２５の端部２５ａは、該アーム２２に外力が加えられていない状態（図３及び図４に示される状態）で、該アーム２２の基端を中心として該アーム２２とブリッジ２５との接続部が描く円弧Ｃの接線方向と一致するように形成されている。またブリッジ２５における中間部２５ｂは、一方のアーム２２と他方のアーム２２との中間において基部２１に向けて凸状に湾曲するように形成されている。このため、一対のアーム２２に対する過度の外力が該一対のアーム２２の間隔を広げる方向に作用する場合であっても、一対のアーム２２の各々とブリッジ２５との接続部にはせん断力が発生し難くなる。なお、基部２１に対してアーム２２とは反対側には、バックル１によって締結されるベルトがその長さを可変にするように保持されるベルト保持部２６が架設されている。
【００２５】
図５及び図６に示されるように、雌部材３における表壁３１は、表側から見て、内側に向けて張り出すように湾曲した四つの縁によって囲まれるＸ字状に形成されている。また雌部材３における裏壁３２は、裏側から見て、内側に向けて張り出すように湾曲した四つの縁によって囲まれるＸ字状に形成されている。これら雌部材３を構成する表壁３１の四隅と裏壁３２の四隅においては、挿入口３Ｐ寄りの一対の挿入側連結壁ＷＰと開放口寄りの一対の開放側連結壁ＷＤとによって表壁３１と裏壁３２とが互いに連結されている。さらに一対の挿入側連結壁ＷＰにおける内側面には、雌部材３に雄部材２が連結された状態
で一対のアーム２２の基端における外側面と整合するようなガイド面ＷＰａが形成されている。そして雌部材３の挿入方向における一方の筒端には、挿入方向と平行な方向から見て矩形状の挿入口３Ｐが、上記表壁３１、裏壁３２、及び挿入側連結壁ＷＰによってその四辺を縁取られるかたちに形成されている。また雌部材３の挿入方向における他方の筒端には、挿入方向と平行な方向から見て矩形状の開放口３Ｄが、上記表壁３１、裏壁３２、及び開放側連結壁ＷＤによってその四辺を縁取られるかたちに形成されている。
【００２６】
雌部材３が有する挿入口３Ｐの開口縁には、表壁３１において挿入口３Ｐ寄りの縁である表側挿入縁３１ｐと、裏壁３２において挿入口３Ｐ寄りの縁である裏側挿入縁３２ｐとが含まれている。
【００２７】
これら表側挿入縁３１ｐ及び裏側挿入縁３２ｐは、それぞれ開放口３Ｄに向けて張り出すように湾曲した形状に形成されて、表壁３１の外表面及び裏壁３２の外表面と対向する平面視において互いに重なるように形成されている。また表壁３１の外表面及び裏壁３２の外表面と対向する平面視においては、表側挿入縁３１ｐ及び表側開口縁３１ｄが一対のアーム２２の外形に倣うように、表壁３１及び裏壁３２の外形が形成されている。
【００２８】
そして雌部材３に雄部材２が連結された状態では、上記一対のアーム２２が含まれる平面に対して面対称となるように、挿入口３Ｐが形成されている。また雌部材３に雄部材２が連結された状態では、表壁３１の外表面と対向する平面視において、表壁３１によって構成される挿入口３Ｐの縁から上記一対のアーム２２が露出しないように、表壁３１が形成されている。また雌部材３に雄部材２が連結された状態では、裏壁３２の外表面と対向する平面視において、裏壁３２によって構成される挿入口３Ｐの縁から上記一対のアーム２２が露出しないように、裏壁３２が形成されている（図１及び図２参照）。
【００２９】
このような構成によれば、雌部材３に雄部材２が連結された状態において、雄部材２と雌部材３との機能的な一体感に基づく美観が高められる。また、このような構成からなる挿入口３Ｐによれば、雌部材３における挿入口３Ｐと一対のアーム２２における先端部とが互いに面対称であるため、雌部材３に雄部材２が連結される際に、一対のアーム２２が挿入口３Ｐに挿入されやすくなる。
【００３０】
一方、雌部材３が有する開放口３Ｄの開口縁には、表壁３１において開放口３Ｄ寄りの縁である表側開口縁３１ｄと、裏壁３２において開放口３Ｄ寄りの縁である裏側開口縁３２ｄとが含まれている。そして雌部材３に雄部材２が連結された状態では、上記一対のアーム２２が含まれる平面に対して非対称となるように、開放口３Ｄが形成されている。
【００３１】
詳述すると、上記表側開口縁３１ｄは、挿入口３Ｐに向けて張り出すように湾曲した形状に形成されている。また表壁３１の外表面と対向する平面視においては、表側挿入縁３１ｐ及び表側開口縁３１ｄが一対のアーム２２の外形に倣うように、表壁３１の外形が形成されている。そして雌部材３に雄部材２が連結された状態では、表壁３１の外表面と対向する平面視において、表壁３１によって構成される開放口３Ｄの縁から上記一対のアーム２２が露出しないように、表壁３１が形成されている（図１及び図２参照）。このような構成によれば、上記挿入口３Ｐと同じく、雌部材３に雄部材２が連結された状態において、雄部材２と雌部材３との機能的な一体感に基づく美観が高められる。
【００３２】
また裏側開口縁３２ｄも、上記表側開口縁３１ｄと同じく、挿入口３Ｐに向けて張り出すように湾曲した形状に形成されている。しかも裏側開口縁３２ｄは、裏壁３２の外表面と対向する平面視において、上記表側開口縁３１ｄよりも挿入口３Ｐに向けてさらに窪んだ係止縁３２Ｓを有している。この係止縁３２Ｓは、裏壁３２の外表面と対向する平面視において、挿入口３Ｐに最も近い縁であって左右方向に延びる底縁と、該底縁における左
右方向の両端から挿入方向に延びる一対の側縁とから構成されている。そして雌部材３に雄部材２が連結された状態では、裏壁３２の外表面と対向する平面視において、上記係止縁３２Ｓが形成される分、裏壁３２によって構成される開放口３Ｄの縁から上記一対のアーム２２が露出するようになる。
【００３３】
なお、雌部材３に雄部材２が連結された状態では、上記係止縁３２Ｓを構成する底縁及び側縁と上記一対の裏側凸部２３Ｂとが当接し、且つ上記一対の裏側凸部２３Ｂのみが係止縁３２Ｓから露出する形状に裏壁３２は形成されている（図１及び図２参照）。そして雌部材３に雄部材２が連結される状態では、上記一対のアーム２２が有する裏側凸部２３Ｂが係止縁３２Ｓの底縁及び側縁に当接して、該裏側凸部２３Ｂが挿入口３Ｐ側へ移動し難くなる。このような構成によれば、開放口３Ｄの一部が裏側凸部２３Ｂに対する係止部として機能することになるため、このような係止部が別途形成される構成と比較して、雌部材３の構成をより簡便なものとすることが可能である。
【００３４】
また係止縁３２Ｓにおける裏壁３２の厚さは、裏側凸部２３Ｂの厚さよりも大きくなるように形成されている。このような構成によれば、裏側凸部２３Ｂと係止縁３２Ｓとが係合する状態で、該裏側凸部２３Ｂが裏壁３２の外表面から突出しなくなる。そのため、一対のアーム２２に形成された裏側凸部２３Ｂと裏壁３２に形成された係止縁３２Ｓとの係合が外部からの干渉を受け難くなる。その結果、予期せぬ原因によって雄部材２と雌部材３との連結が解除されることを抑えることが可能である。
【００３５】
表壁３１における内表面には、図６に示されるように、挿入方向に延びる表側案内溝３６が形成されている。表側案内溝３６は、表側挿入縁３１ｐから開放口３Ｄに向けて溝幅が一定の割合で狭くなるように形成された表側挿入溝３６ａと、上記表側挿入溝３６ａの開放口３Ｄ側に拡開された係止溝３６Ｓとを有している。この係止溝３６Ｓを構成する溝側壁は、裏壁３２の外表面と対向する平面視において、上述した係止縁３２Ｓと重なるように形成されている。そして雄部材２が雌部材３に挿入される際には、上記一対のアーム２２が有する表側凸部２３Ｆが、表側挿入溝３６ａの溝側壁に摺接して係止溝３６Ｓまで案内される。そして雌部材３に雄部材２が連結される状態では、上記一対のアーム２２の表側凸部２３Ｆが係止溝３６Ｓの溝側壁に当接して、該表側凸部２３Ｆが挿入口３Ｐ側へ移動し難くなる。
【００３６】
また裏壁３２における内表面には、図５に示されるように、挿入方向に延びる裏側案内溝３７が形成されている。裏側案内溝３７は、裏側挿入縁３２ｐから係止縁３２Ｓまで溝幅が狭くなるように形成されている。この裏側案内溝３７を構成する溝側壁は、裏壁３２の外表面と対向する平面視において、上述した表側挿入溝３６ａと重なるように形成されている。そして雄部材２が雌部材３に挿入される際には、上記一対のアーム２２が有する裏側凸部２３Ｂが、裏側案内溝３７の溝側壁に摺接して係止縁３２Ｓまで案内される。
【００３７】
さらに雌部材３には、上述した挿入口３Ｐ及び開放口３Ｄに加え、上記挿入方向と直交する方向において互いに対向する一対のアーム挿通孔ＳＨが形成されている。一対のアーム挿通孔ＳＨは、左右方向と平行な方向から見て、表壁３１、裏壁３２、挿入側連結壁ＷＰ、及び開放側連結壁ＷＤによって四辺を縁取られた矩形状に形成されている。また一対のアーム挿通孔ＳＨの開口縁は、上述した一対のアーム２２が有するアーム孔２４の内周面２４ａに倣うかたちに形成されている。これら一対のアーム挿通孔ＳＨは、雌部材３に雄部材２が連結された状態で、一対のアーム２２の各々のアーム孔２４が雌部材３の外側に露出し、且つ一対のアーム挿通孔ＳＨの各々がアーム２２によって塞がれるかたちに形成されている。このような構成によれば、アーム孔２４の内周面２４ａの形状がアーム挿通孔ＳＨの開口形状に倣うことになる（図１及び図２参照）。そのため、バックル１における雄部材２と雌部材３との機能的な一体感に基づく美観が醸成されつつ、一対のアーム
挿通孔ＳＨから雌部材３の内部へ異物が入り込むことを抑えることが可能である。
【００３８】
また雌部材３の内部には、上記表側案内溝３６における左右方向の中央と上記裏側案内溝３７における左右方向の中央とを連結する仕切板３８が挿入方向に延びるように形成されている。このような構成からなる仕切板３８が形成されることによって、雌部材３における表壁３１が撓んだり裏壁３２が撓んだりすることが抑えられるようになっている。また雌部材３における挿入方向の端部には、バックル１によって締結されるベルトがその長さを変更不可能なように取り付けられるベルト取り付け部３９が設けられている。このベルト取り付け部３９には、バックル１の軽量化を図るべく、３個の有底穴が設けられている。
【００３９】
そして図７（ａ）（ｂ）に示されるように、一対のアーム２２が挿入口３Ｐから挿入方向に挿入されると、まずアーム２２の外側面がガイド面ＷＰａに摺接しつつ、一対のアーム２２の先端が雌部材３の内部に進入する。次いでアーム２２の表面に突設された一対の表側凸部２３Ｆが表側挿入溝３６ａに沿って係止溝３６Ｓまで案内される。またアーム２２の裏面に突設された一対の裏側凸部２３Ｂが裏側案内溝３７に沿って開放口３Ｄまで案内される。
【００４０】
この際、一対のアーム２２の各々における外側面は、アーム係止部２２Ｓにおいて左右方向の外側に張り出すような形状に形成されている。そして一対の挿入側連結壁ＷＰにおけるガイド面ＷＰａは、一対のアーム２２の基端における外側面と整合する形状に形成されている。そのため、一対のアーム２２が雌部材３に挿入されると、一対のアーム２２の各々における外側面がガイド面ＷＰａよりも外側に張り出す分、アーム２２の外側面がガイド面ＷＰａによって左右方向の中央寄りに押されることとなる。その結果、アーム係止部２２Ｓがガイド面ＷＰａに位置するときに、一対のアーム２２が左右方向の中央寄りに最も大きく撓むようになる。そしてアーム係止部２２Ｓがガイド面ＷＰａを通過すると、アーム２２の外側面に対するガイド面ＷＰａの押込みが解除されて、一対のアーム２２における撓みが表側挿入溝３６ａ及び裏側案内溝３７の案内に従うものとなる。なお、表側挿入溝３６ａ及び裏側案内溝３７の溝幅は、挿入口３Ｐから開放口３Ｄに向けて一定の割合で狭くなるように形成されている。そのため、上記表側挿入溝３６ａ及び裏側案内溝３７の案内に従って一対のアーム２２が挿入されると、一対のアーム２２は左右方向の中央寄りに一定の割合で撓みながら雌部材３の内部へ進入するようになる。このような構成によれば、アーム係止部２２Ｓがガイド面ＷＰａを通過する際にアーム２２に対する外力が一旦増えることになるため、アーム係止部２２Ｓとガイド面ＷＰａとの係合によって、一対のアーム２２を雌部材３に仮止めすることが可能である。
【００４１】
そして一対のアーム２２が雌部材３に挿入され続けると、表側凸部２３Ｆが係止溝３６Ｓに到達し、裏側凸部２３Ｂが開放口３Ｄに到達する。すると、係止溝３６Ｓが表側挿入溝３６ａから拡開されているため、また係止縁３２Ｓが裏側案内溝３７から拡開されているため、左右方向の中央寄りに撓んでいた一対のアーム２２が、これら係止溝３６Ｓの形状及び係止縁３２Ｓの形状に従って互いに左右方向の外側に広がる。これによって、表側凸部２３Ｆが係止溝３６Ｓの溝側壁に当接して、該表側凸部２３Ｆが挿入口３Ｐ側へ移動し難くなる。また裏側凸部２３Ｂが係止縁３２Ｓの底縁に当接して、該裏側凸部２３Ｂが挿入口３Ｐ側へ移動し難くなる。そして雌部材３に雄部材２が連結される。
【００４２】
この際、図７（ａ）に示されるように、表壁３１の外表面に対向した平面視において、一対のアーム２２は、挿入口３Ｐ及び開放口３Ｄから露出しない。これに対して、図７（ｂ）に示されるように、裏壁３２の外表面に対向した平面視において、一対のアーム２２は、その先端寄りに形成された裏側凸部２３Ｂが開放口３Ｄから露出する。このような構成によれば、開放口３Ｄにおいてアーム２２が露出する分、雌部材３の筒内に入り込んだ
異物が一対のアーム２２の進入とともに開放口３Ｄから容易に排出されることとなる。加えて、開放口３Ｄにおいてアーム２２が露出しない分、一対のアーム２２の先端寄りが外部から遮蔽されるため、雄部材２と雌部材３との係合部が外部からの干渉を受け難くすることも可能である。そのため、予期せぬ原因によって雄部材２と雌部材３との係合が解除されることを抑えつつ雌部材３の内部に入り込んだ異物の堆積を抑えることが可能である。
【００４３】
以上説明したように、本実施の形態に係るバックルによれば、以下列記するような効果が得られるようになる。
（１）扁平筒状の雌部材３が挿入口３Ｐと対向した開放口３Ｄとを有する。そして雌部材３を構成する表壁３１が、該表壁３１に対向した平面視において開放口３Ｄからアーム２２が露出しない形状に形成されている。一方、同雌部材３を構成する裏壁３２が、該裏壁３２に対向した平面視において開放口３Ｄからアーム２２が露出する形状に形成されている。
【００４４】
それゆえに、開放口３Ｄからアーム２２が露出する形状を裏壁３２が有する分、雌部材３の筒内に入り込んだ異物が開放口３Ｄから容易に排出されることとなる。加えて、開放口３Ｄからアーム２２が露出しない形状を表壁３１が有する分、表壁３１側にあっては、一対のアーム２２の先端寄りが外部から遮蔽されるため、雄部材２と雌部材３との係合部が外部からの干渉を受け難くすることが可能でもある。そのため、予期せぬ原因によって雄部材２と雌部材３との係合が解除されることを抑えつつ、雌部材３の内部に入り込んだ異物の堆積を抑えることが可能である。
【００４５】
（２）開放口３Ｄが、裏壁３２に対向した平面視において表壁３１の縁よりも裏壁３２の縁が挿入口３Ｐ側に窪んだ形状に形成されている。雌部材３の筒内に入り込んだ異物が開放口３Ｄから排出される過程では、雌部材３の筒内に入り込んだ異物が挿入口３Ｐ側から挿入されたアーム２２によって押し出されることが少なくない。この点、上記実施形態においては、開放口３Ｄを構成する縁のうち裏壁３２の縁が挿入口３Ｐ側に窪んだ形状を開放口３Ｄが有する。そのため、裏壁３２の縁が窪んだ形状に形成される分、裏壁３２においては開放口３Ｄが挿入口３Ｐに近くなる。その結果、雌部材３の筒内に入り込んだ異物が挿入口３Ｐ側から挿入されたアーム２２によって押し出されやすくなるため、雌部材３の内部に入り込んだ異物の堆積をさらに抑えることが可能である。
【００４６】
（３）表壁３１は、開放口３Ｄの縁を構成する表側開口縁３１ｄを有する。また裏壁３２は、開放口３Ｄの縁を構成するとともに、該裏壁３２に対向した平面視において表側開口縁３１ｄよりも挿入口３Ｐ側に窪んだ形状に形成される係止部である係止縁３２Ｓを有する。そして係止縁３２Ｓと被係止部２３とが係合する状態にて、裏壁３２に対向した平面視において係止縁３２Ｓから被係止部２３が露出する形状に形成される。このような構成によれば、開放口３Ｄを構成する係止縁３２Ｓが被係止部２３に対する係止部として機能することとなる。それゆえに、係止部が別途形成される構成と比較して、雌部材３の構成をより簡便なものとすることが可能である。
【００４７】
（４）裏側凸部２３Ｂにおける裏壁３２の厚さ方向の幅は裏壁３２よりも小さい。このような構成によれば、係止縁３２Ｓと裏側凸部２３Ｂとが係合する状態において、アーム２２に形成された裏側凸部２３Ｂが裏壁３２の外表面から突出しない。そのため、アーム２２に形成された裏側凸部２３Ｂと係止縁３２Ｓとの係合が外部からの干渉をさらに受け難くなる。その結果、予期せぬ原因によって雄部材２と雌部材３との係合が解除されることをさらに抑えることが可能である。
【００４８】
（５）雄部材２は、一対のアーム２２において表壁３１側に突出する表側凸部２３Ｆを
さらに有して一対のアーム２２を含む面に対し面対称となる形状に形成されている。また雌部材３には、挿入口３Ｐから開放口３Ｄまで延びるかたちを成して挿入口３Ｐと開放口３Ｄとの間で表側凸部２３Ｆを案内する表側案内溝３６と裏側凸部２３Ｂを案内する裏側案内溝３７とが形成される。そして裏壁３２の開放口３Ｄが有する係止縁３２Ｓは、表側凸部２３Ｆと裏側凸部２３Ｂのいずれか一方と係合する。このような構成によれば、雄部材２における一つの側面が表壁３１側に配置されて雄部材２と雌部材３とが係合する場合であれ、雄部材２における当該一つの側面が裏壁３２側に配置されて雄部材２と雌部材３とが係合する場合であれ、上記（１）〜（４）に記載の効果を得ることが可能である。それゆえに、雄部材２と雌部材３との係合の態様を拡張しつつ、雌部材３の内部に入り込んだ異物の堆積を抑えること、及び予期せぬ原因によって雄部材２と雌部材３との係合が解除されることを抑えること、それらが可能である。
【００４９】
なお、上記実施の形態は、以下のような態様をもって実施することもできる。
・一対のアーム２２における表側の先端寄りには表側凸部２３Ｆが形成され、且つ一対のアーム２２における裏側の先端寄りには裏側凸部２３Ｂが形成されている。これを変更して、雄部材２と雌部材３とにおける係合箇所が裏側凸部２３Ｂと係止縁３２Ｓとに限られる構成、つまり表側凸部２３Ｆが割愛される構成であってもよい。このような構成であれば、表側凸部２３Ｆの他、表側案内溝３６を割愛することも可能である。そのため、上記（１）〜（４）に準じた効果を得つつ、雄部材２及び雌部材３の構成を簡単なものにすることが可能である。
【００５１】
・裏側凸部２３Ｂにおける裏壁３２の厚さ方向の幅は、裏壁３２と同じであってもよい。このような構成によれば、上記（１）〜（３）と同様な効果を得つつ、雄部材２と雌部材３との機能的な一体感に基づく美観が高められる。あるいは裏側凸部２３Ｂにおける裏壁３２の厚さ方向の幅は裏壁３２よりも大きくてもよい。このような構成によれば、上記（１）〜（３）と同様な効果を得つつ、裏側凸部２３Ｂと係止縁３２Ｓとの係合がより確実なものとなる。なお、裏側凸部２３Ｂにおける裏壁３２の厚さ方向の幅が裏壁３２よりも大きくなる場合には、一対のアーム２２が雌部材３内を摺動する上で、裏側凸部２３Ｂあるいは一対のアーム２２においてその厚さ方向に収縮するような弾性が必要となる。
【００５２】
・開放口３Ｄにおける係止縁３２Ｓは、左右方向に延びる底縁と挿入方向に延びる側縁とから構成されている。これを変更して、例えばアーム２２の挿入方向、あるいはアーム２２の離脱方向に凸となるように、係止縁３２Ｓが形成されてもよい。
【００５３】
・裏壁３２の外表面に対向した平面視において、裏側開口縁３２ｄは表側開口縁３１ｄよりも挿入口３Ｐ側に窪んだ形状に形成されている。これを変更して、裏壁３２の外表面に対向した平面視において、裏側開口縁３２ｄは表側開口縁３１ｄよりも左右方向の外側に窪んだ形状に形成されてもよい。要するに、表壁３１の外表面に対向した平面視において開放口３Ｄから一対のアーム２２が露出しない形状を表壁３１が有し、且つ裏壁３２の外表面に対向した平面視において開放口３Ｄから一対のアーム２２の少なくとも一方が露出する形状を裏壁３２が有する構成であればよい。
【００５４】
・裏壁３２の外表面に対向した平面視において、裏側開口縁３２ｄは一対のアーム２２の双方が露出する形状に形成されている。これを変更して、裏側開口縁３２ｄは、一対の
アーム２２のいずれか一方のみが露出する形状に形成されてもよい。このような構成であっても、アーム２２の先端寄りが開放口３Ｄの縁から裏側で露出する以上、上記（１）に準じた効果を得ることが可能である。
【００５５】
・表側挿入縁３１ｐ、裏側挿入縁３２ｐ、表側開口縁３１ｄは、それぞれ一対のアーム２２が露出しないように、上述した平面視において内側に張り出すように湾曲した形状に形成されている。このような形状に限らず、表側挿入縁３１ｐ、裏側挿入縁３２ｐ、表側開口縁３１ｄは、例えば左右方向に延びる直線状に形成されてもよく、あるいは上述した平面視において外側に張り出すように湾曲した形状に形成されてもよい。要は、表側挿入縁３１ｐ、裏側挿入縁３２ｐ、表側開口縁３１ｄは、上述した平面視において、それぞれ一対のアーム２２における基端部及び先端部を覆う形状であればよい。
【００５６】
・図３及び図４に示されるように、ブリッジ２５における中間部２５ｂを、一方のアーム２２と他方のアーム２２との中間において基部２１に向けて凸状に湾曲するように形成したがこれに限らず、一対のアーム２２の先端に向けて凸状に湾曲するように形成してもよい。この場合、雌部材３に設けた仕切板３８とブリッジ２５とが干渉しないようにする必要がある。
【００５７】
・雄部材２にブリッジ２５が配設されるようにしたがこれに限らず、ブリッジ２５を設けないようにしてもよい。例えば一対のアーム２２の間に、基部２１からアーム２２の挿入方向に向けて突出するとともに、アーム２２を雌部材３に挿入する際に雄部材２を案内する機能を備えたいわゆるセンターバーを設けるようにしてもよい。このようにしても、アーム２２の間隔を広げようとする外力がアーム２２に作用し難くすることができる。この場合、雌部材３の内部には、仕切板３８の代わりに上記センターバーを案内するセンターバー案内部を仕切板３８が設けられていた位置に配設することが必要となる。
【００５８】
・基端位置決めリブ２７又は先端位置決めリブ２８が割愛される構成であっても、上述した（１）〜（５）と同様な効果を得ることは可能である。ちなみに、雌部材３の内側面に凸リブが形成され、雌部材３に雄部材２が連結された状態で一対のアームが該凸リブに押される構成であれば、基端位置決めリブ２７及び先端位置決めリブ２８が割愛される構成であっても、雄部材２のがたつきを軽減させることができる。
【００５９】
・一対のアーム２２においてアーム孔２４が割愛される構成であってもよい。このようにしても、扁平筒状に形成された雌部材３の筒側面、すなわちアーム挿通孔ＳＨから異物が入り込むことをアーム２２によって抑えることができる。
【００６０】
・仕切板３８を設けるとしたが、これに限られず、仕切板３８が割愛される構成であってもよい。
・ベルト取り付け部３９には、３個の有底穴が設けられているとしたがこれに限らず、有底穴を何個でも設けてもよいし、あるいは有底穴を設けないようにしてもよい。
【００６１】
・バックル１により締結されるベルトがその長さを変更可能に保持されるベルト保持部２６を雌部材３に形成し、該ベルトの長さを変更不可能に取り付けられるベルト取り付け部３９を雄部材２に形成するようにしてもよい。このようにしても、バックル１の締結時におけるベルトの長さを変更することができる。
【符号の説明】
【００６２】
Ｃ…円弧、１…バックル、２…雄部材、３…雌部材、２１…基部、２２…アーム、２２Ｓ…アーム係止部、２３…被係止部、２３Ｆ…表側凸部、２３Ｂ…裏側凸部、２４…アーム孔、２４ａ…内周面、２５…ブリッジ、２５ａ…端部、２５ｂ…中間部、２６…ベルト保
持部、２７…基端位置決めリブ、２８…先端位置決めリブ、３１…表壁、３１ｐ…表側挿入縁、３１ｄ…表側開口縁、３２…裏壁、３２ｐ…裏側挿入縁、３２ｄ…裏側開口縁、３２Ｓ…係止縁、３Ｐ…挿入口、３Ｄ…開放口、ＷＰ…挿入側連結壁、ＷＤ…開放側連結壁、ＷＰａ…ガイド面、ＳＨ…アーム挿通孔、３６…表側案内溝、３６ａ…表側挿入溝、３６Ｓ…係止溝、３７…裏側案内溝、３８…仕切板、３９…ベルト取り付け部。
【図１】
0005469543.tif 000002
【図２】
0005469543.tif 000003
【図３】
0005469543.tif 000004
【図４】
0005469543.tif 000005
【図５】
0005469543.tif 000006
【図６】
0005469543.tif 000007
【図７】
0005469543.tif 000008